(57)【要約】【課題】  槽内の全体に亘って十分な上下循環流動を形成することができて、好適な撹拌特性を発揮することができる撹拌機を提供する。【解決手段】  本発明は、例えば３００≦Ｒｅの範囲で撹拌を行う場合、撹拌槽１の直径に対する撹拌翼３の最外半径の比率（翼径比）を０．２２５〜０．３２５とし、且つ、上半分Ｕにおける撹拌翼３の実効面積と該実効面積における撹拌翼３の最外半径の三乗との積の軸方向における積分値に対する下半分Ｄにおける撹拌翼３の実効面積と該実効面積における撹拌翼３の最外半径の三乗との積の軸方向における積分値の比率（吐出流量比）が１．４以上とする。【選択図】  図４
2006087998.tif 000002
【特許請求の範囲】
【請求項１】
撹拌槽（１）内中心部に槽外から回転可能な撹拌軸（２）が配設され、該撹拌軸（２）に撹拌翼（３）が取り付けられてなる撹拌機において、該撹拌翼（３）が以下の条件を備えてなることを特徴とする撹拌機。
（ｉ）レイノルズ数Ｒｅが３００≦Ｒｅの範囲で撹拌を行う場合、撹拌槽（１）の直径に対する撹拌翼（３）の最外半径の比率（翼径比）が０．２２５〜０．３２５であり、且つ、上半分（Ｕ）における撹拌翼（３）の実効面積と該実効面積における撹拌翼（３）の最外半径の三乗との積の軸方向における積分値に対する下半分（Ｄ）における撹拌翼（３）の実効面積と該実効面積における撹拌翼（３）の最外半径の三乗との積の軸方向における積分値の比率（吐出流量比）が１．４以上
（ii）レイノルズ数Ｒｅが３０≦Ｒｅ＜３００の範囲で撹拌を行う場合、前記翼径比が０．２５〜０．３２５であり、且つ、前記吐出流量比が１．７以上
(iii）レイノルズ数ＲｅがＲｅ＜３０の範囲で撹拌を行う場合、前記翼径比が０．３２５〜０．３７５であり、且つ、前記吐出流量比が１．８以上
【発明の詳細な説明】
【技術分野】
【０００１】
本発明は、混合、溶解、晶析、反応等を目的とした撹拌処理用の撹拌機に関する。
【背景技術】
【０００２】
従来、撹拌機の撹拌翼として、タービン翼、パドル翼、プロペラ翼等の小型翼を多段で使用する例が多い。これらの撹拌翼を使用する撹拌機では、翼回転数を高くして翼から半径方向に吐出される液の流量を多くすることにより、液が槽壁に衝突して上方及び下方に回り、再び翼の所へ戻る循環流動を発生させ、槽内の混合を行う。
【発明の開示】
【発明が解決しようとする課題】
【０００３】
しかしながら、上記小型翼では、図１０に示す如く、槽内の全体に亘って十分な上下循環流動が形成されにくく、上下間に複数の仕切ゾーンＺ，…ができてしまう。そのため、撹拌特性が悪化し、ガス吸収反応では時間がかかり、固体分散においては不均一な状態となる等、製品品質の不均一や反応時間の増大を招いていた。
【０００４】
そこで、本発明は、槽内の全体に亘って十分な上下循環流動を形成することができて、好適な撹拌特性を発揮することができる撹拌機を提供することを課題とする。
【課題を解決するための手段】
【０００５】
本発明に係る撹拌機は、撹拌槽１内中心部に槽外から回転可能な撹拌軸２が配設され、該撹拌軸２に撹拌翼３が取り付けられてなる撹拌機において、該撹拌翼３が、（ｉ）レイノルズ数Ｒｅが３００≦Ｒｅの範囲で撹拌を行う場合、撹拌槽１の直径に対する撹拌翼３の最外半径の比率（翼径比）が０．２２５〜０．３２５であり、且つ、上半分Ｕにおける撹拌翼３の実効面積と該実効面積における撹拌翼３の最外半径の三乗との積の軸方向における積分値に対する下半分Ｄにおける撹拌翼３の実効面積と該実効面積における撹拌翼３の最外半径の三乗との積の軸方向における積分値の比率（吐出流量比）が１．４以上であり、（ii）レイノルズ数Ｒｅが３０≦Ｒｅ＜３００の範囲で撹拌を行う場合、前記翼径比が０．２５〜０．３２５であり、且つ、前記吐出流量比が１．７以上であり、(iii）レイノルズ数ＲｅがＲｅ＜３０の範囲で撹拌を行う場合、前記翼径比が０．３２５〜０．３７５であり、且つ、前記吐出流量比が１．８以上である条件を備えることを特徴とする。
【０００６】
上記構成からなる撹拌機によれば、撹拌翼３の下半分Ｄから半径方向に吐出される撹拌対象物の吐出流量は、撹拌翼３の上半分Ｕから半径方向に吐出される撹拌対象物の吐出流量よりも多くなる。そのため、吐出の強い領域から吐出の弱い領域への上下循環流動、即ち、撹拌槽１の下部から上部へと連続した上下循環流動が形成されることとなる。その結果、仕切ゾーンができることなく、撹拌対象物が全体的に撹拌されることとなる。
【発明の効果】
【０００７】
即ち、本発明に係る撹拌機は、撹拌の運転条件に応じて翼径比及び吐出流量比の適正化を図ることにより、槽内の全体に亘って十分な上下循環流動を形成することができて、好適な撹拌特性を発揮することができる。
【発明を実施するための最良の形態】
【０００８】
以下、本発明の実施形態に係る撹拌機について図１に基づき説明する。
【０００９】
１は、円筒形撹拌槽で、該槽１内中心部には、撹拌軸２が配設されている。撹拌軸２は、下端が槽底部に設けられた軸受（図示しない）を介して支持され、且つ上端が槽頂部上の駆動装置（図示しない）にカップリング（図示しない）を介して接続されている。
【００１０】
３は、撹拌翼で、また、この撹拌翼３のうちの４は、多段（本実施形態では３段）のタービン翼で、撹拌軸２に同心に取り付けられたディスク４ａの外周等分位置に複数の羽根４ｂ，…を取り付けたものである。各タービン翼４は、上位ほど羽根４ｂの形状が小さくなるように形成されている。
【００１１】
５は、ボトム翼で、撹拌軸２の下端部に取り付けられている。該ボトム翼５は、略矩形状を呈する平板状の翼であり、下端縁は、槽底部の曲面形状に沿うように曲線形状に形成されている。
【００１２】
６は、邪魔板で、撹拌槽１の側壁面であって、周方向に所定間隔を有して複数取り付けられている（図では、一つしか図示していない）。この邪魔板６は、撹拌槽１の側壁面下部から上部まで軸長方向に沿って連続しており、タービン翼４及びボトム翼５からなる撹拌翼３から吐出された撹拌対象物を撹拌槽１の上部まで上昇させる特性を備えている。
【００１３】
本実施形態に係る撹拌機は、以上の構成からなり、次に、本実施形態に係る撹拌機の撹拌特性について図２に基づき説明する。
【００１４】
翼から半径方向に吐出される撹拌対象物の吐出流量は、撹拌翼３の軸長方向における実効面積と、該実効面積における撹拌翼３の最外半径の三乗との積に比例することが一般的に知られている。従って、本実施形態に係る撹拌翼３の如く、撹拌翼３の上半分Ｕにおける撹拌翼３の総実効面積が小さく、下半分Ｄにおける撹拌翼３の総実効面積が大きい場合、下半分Ｄにおける撹拌対象物の吐出流量（Ｑ1＋Ｑ2）は、上半分Ｕにおける撹拌対象物の吐出流量（Ｑ3＋Ｑ4）よりも多くなる。尚、「上半分」とは、撹拌翼３の最下端から最上端までの高さを半分で割ったときの上側をいい、「下半分」とは、その下側をいう。
【００１５】
そして、撹拌翼３の上半分Ｕと下半分Ｄとの吐出流量の違い、即ち、吐出強さの違いにより、吐出の強い領域から吐出の弱い領域への上下循環流動Ｒ1、即ち、撹拌槽１の下部から上部へと連続した上下循環流動Ｒ1が形成されることとなる。その結果、仕切ゾーンができることなく、撹拌対象物を全体的に撹拌することができるので、撹拌特性が良くなる。特に本実施形態においては、各段の撹拌翼３の実効面積は、下位から上位にかけて次第に小さくなっているため、ボトム翼５の吐出流量Ｑ1＞下位のタービン翼４の吐出流量Ｑ2＞中位のタービン翼４の吐出流量Ｑ3＞上位のタービン翼４の吐出流量Ｑ4となり、より好適な上下循環流動が得られることとなる。
【００１６】
また、上下循環流動Ｒ1は、上部に達した後、撹拌槽１の側壁側から中心側へ移動し、撹拌軸２に沿って下方へと移動する上下循環流動Ｒ2となり、槽底部に戻るが、撹拌翼３が多段に設けられていることにより（即ち、撹拌翼３，３間に隙間が形成されることにより）、下降中の撹拌対象物がこれらによって剪断細分化され、より細かく撹拌されるようになっている。
【００１７】
尚、図２においては、理解を容易にするため、吐出流量（吐出流動）Ｑ1，Ｑ2，Ｑ3，Ｑ4及び上下循環流動Ｒ1，Ｒ2を片側一面にしか図示していないが、撹拌槽１の周方向全領域において同様の流動態様が生じていることは言うまでもない。
【００１８】
ここで、本発明者は、撹拌翼３を如何なるように設計するのがよいか各種の実験を行った。
【００１９】
図４は、以下の実験を行い、その実験結果（図３）をプロットし、境界線を引いたものである。
＜実験条件＞
・槽内径Ｄ（撹拌槽１の胴部の内径）：３１０ｍｍ
・翼高Ｂ（槽底部の最下位置から撹拌翼３の最上端までの高さ）：液深Ｌ（槽底部の最下位置から液面までの高さ）に合わせて調整し、液深Ｌより６２ｍｍ低く設定
・槽底部形状：半楕円
・邪魔板：有り
・液量：２３．８〜３７．８リットル
・撹拌動力：０．５〜２．０ｋＷ／ｍ3
・トレーサー：１ｍｍ角ＰＳ（ポリスチレン）ペレット（比重１．０５）
＜実験方法＞
撹拌条件をレイノルズ数Ｒｅ（液粘度）が３００≦Ｒｅの範囲とし、着色トレーサー流体法を用いて、混合時間の定量的な判断ではなく、目視で上下循環流動が分断されていないかの判定を行った。因みに、「○」は、撹拌槽１の下部から吐出された流動がスムーズに上部に到達し、上下方向に連続した一つの上下循環流動が形成された場合に対する評価であり、「△」は、撹拌槽１の下部から吐出された流動がほとんど上部に到達しているが、一部途中で中心側への流動が見られた場合に対する評価であり、「×」は、明らかに上下循環流動が分断された場合に対する評価である。
【００２０】
図６は、撹拌条件をレイノルズ数Ｒｅが３０≦Ｒｅ＜３００の範囲に変えて実験を行い、その実験結果（図５）をプロットし、境界線を引いたものである。
【００２１】
図８は、撹拌条件をレイノルズ数ＲｅがＲｅ＜３０の範囲に変えて実験を行い、その実験結果（図７）をプロットし、境界線を引いたものである。
【００２２】
尚、Ａは、各撹拌翼３の実効面積であり、ｒは、各撹拌翼３の最外半径であり、Ｄは、撹拌槽１の直径（槽内径）を示す。そして、Ａ×ｒ3（下）は、撹拌翼３の下半分Ｄにおける各撹拌翼３の（Ａ×ｒ3）の総和（下半分Ｄにおける撹拌翼３の実効面積と該実効面積における撹拌翼３の最外半径の三乗との積を撹拌軸２の軸長方向に積分した値に同じ）を意味し、Ａ×ｒ3（上）は、撹拌翼３の上半分Ｕにおける各撹拌翼３の（Ａ×ｒ3）の総和（上半分Ｕにおける撹拌翼３の実効面積と該実効面積における撹拌翼３の最外半径の三乗との積を撹拌軸２の軸長方向に積分した値に同じ）を意味する。
【００２３】
図３及び図４から、乱流域（３００≦レイノルズ数Ｒｅ）の撹拌対象物に対しては、ｒ／Ｄが０．２２５〜０．３２５であり、Ａ×ｒ3（下）／Ａ×ｒ3（上）が１．４以上であるならば、流動状態（混合特性）が良くなることがわかる。尚、ｒ／Ｄを「翼径比」と呼び、Ａ×ｒ3（下）／Ａ×ｒ3（上）を「吐出流量比」と呼ぶ。
【００２４】
また、図５及び図６から、遷移流域（３０≦レイノルズ数Ｒｅ＜３００）の撹拌対象物に対しては、翼径比が０．２５〜０．３２５であり、吐出流量比が１．７以上であるならば、流動状態（混合特性）が良くなることがわかる。
【００２５】
さらに、図７及び図８から、層流域（レイノルズ数Ｒｅ＜３０）の撹拌対象物に対しては、翼径比が０．３２５〜０．３７５であり、吐出流量比が１．８以上であるならば、流動状態（混合特性）が良くなることがわかる。
【００２６】
尚、本発明に係る撹拌機は、上記実施形態に限定されるものではなく、本発明の要旨を逸脱しない範囲で種々の変更が可能である。
【００２７】
例えば、上記実施形態においては、撹拌翼３がタービン翼４とボトム翼５との組み合わせからなるものであるが、図９（イ）に示す如く、羽根が上下に連続した形状の撹拌翼であってもよいし、図９（ロ）に示す如く、羽根を傾斜させたものであってもよく、さらには、パドル翼やプロペラ翼を多段に配置した撹拌翼、あるいは、アンカー翼からなる撹拌翼であってもよい。尚、図９（ロ）に示すような撹拌翼の場合、翼径比を求めるための撹拌翼３の最外半径ｒは平均値を用いることとする。
【００２８】
また、上記実施形態においては、撹拌軸２の下端が槽底部に支持されるようになっているが、該下端が槽底部から離間して支持されない態様であってもよい。
【００２９】
また、上記実施形態においては、撹拌軸２を槽外から回転駆動するための駆動装置を槽頂部側に設けているが、該駆動装置を槽底部側に設けてもよい。
【００３０】
また、上記実施形態においては、邪魔板６を設けているが、この邪魔板６は本発明においては、必須構成ではない。
【００３１】
また、槽内径Ｄ、翼高Ｂ、液深Ｌは、それぞれ特に限定されるものではないが、一般的には、翼高比Ｂ／Ｄ（翼高Ｂ／槽内径Ｄ）を５０〜１００％、液深比Ｌ／Ｄ（液深Ｌ／槽内径Ｄ）を１０〜１５０％に設定すればよい。
【００３２】
また、乱流域（３００≦レイノルズ数Ｒｅ）の撹拌対象物に対しては、吐出流量比の上限として、１．７を設定してもよく、遷移流域（３０≦レイノルズ数Ｒｅ＜３００）の撹拌対象物に対しては、吐出流量比の上限として、１．９を設定してもよく、層流域（レイノルズ数Ｒｅ＜３０）の撹拌対象物に対しては、吐出流量比の上限として、２．３を設定してもよい。
【図面の簡単な説明】
【００３３】
【図１】本実施形態に係る撹拌機の正面図を示す。
【図２】同実施形態に係る撹拌機の撹拌特性を説明するための概念図を示す。
【図３】３００≦Ｒｅの範囲で撹拌を行った場合の吐出流量比と翼径比との関係における撹拌特性（混合特性）のデータ表を示す。
【図４】３００≦Ｒｅの範囲で撹拌を行った場合の吐出流量比と翼径比との関係における撹拌特性（混合特性）の良否を表すグラフを示す。
【図５】３０≦Ｒｅ＜３００の範囲で撹拌を行った場合の吐出流量比と翼径比との関係における撹拌特性（混合特性）のデータ表を示す。
【図６】３０≦Ｒｅ＜３００の範囲で撹拌を行った場合の吐出流量比と翼径比との関係における撹拌特性（混合特性）の良否を表すグラフを示す。
【図７】Ｒｅ＜３０の範囲で撹拌を行った場合の吐出流量比と翼径比との関係における撹拌特性（混合特性）のデータ表を示す。
【図８】Ｒｅ＜３０の範囲で撹拌を行った場合の吐出流量比と翼径比との関係における撹拌特性（混合特性）の良否を表すグラフを示す。
【図９】他実施形態に係る撹拌機の正面図を示す。
【図１０】従来の小型翼に係る撹拌機の撹拌特性を説明するための概念図を示す。
【符号の説明】
【００３４】
１…撹拌槽、２…撹拌軸、３…撹拌翼、４…タービン翼、５…ボトム翼、６…邪魔板、Ｒ1，Ｒ2…上下循環流動、Ｑ1，Ｑ2，Ｑ3，Ｑ4…吐出流量
【図１】
2006087998.tif 000003
【図２】
2006087998.tif 000004
【図３】
2006087998.tif 000005
【図４】
2006087998.tif 000006
【図５】
2006087998.tif 000007
【図６】
2006087998.tif 000008
【図７】
2006087998.tif 000009
【図８】
2006087998.tif 000010
【図９】
2006087998.tif 000011
【図１０】
2006087998.tif 000012
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
半楕円形状の槽底部を有する撹拌槽（１）内中心部に槽外から回転可能な撹拌軸（２）が配設され、該撹拌軸（２）に撹拌翼（３）が縦に取り付けられると共に、撹拌槽（１）の側壁面に周方向に所定間隔を有して複数の邪魔板（６）が取り付けられる竪型撹拌機であって、撹拌槽（１）の直径に対する撹拌翼（３）の最外半径の比率（翼径比）が０．２２５〜０．３２５であり、且つ、上半分（Ｕ）における撹拌翼（３）の実効面積と該実効面積における撹拌翼（３）の最外半径の三乗との積の軸方向における積分値に対する下半分（Ｄ）における撹拌翼（３）の実効面積と該実効面積における撹拌翼（３）の最外半径の三乗との積の軸方向における積分値の比率（吐出流量比）が１．４以上である撹拌機を用い、レイノルズ数Ｒｅが３００≦Ｒｅの範囲で撹拌を行うことを特徴とする撹拌方法。
【請求項２】
半楕円形状の槽底部を有する撹拌槽（１）内中心部に槽外から回転可能な撹拌軸（２）が配設され、該撹拌軸（２）に撹拌翼（３）が縦に取り付けられると共に、撹拌槽（１）の側壁面に周方向に所定間隔を有して複数の邪魔板（６）が取り付けられる竪型撹拌機であって、撹拌槽（１）の直径に対する撹拌翼（３）の最外半径の比率（翼径比）が０．２５〜０．３２５であり、且つ、上半分（Ｕ）における撹拌翼（３）の実効面積と該実効面積における撹拌翼（３）の最外半径の三乗との積の軸方向における積分値に対する下半分（Ｄ）における撹拌翼（３）の実効面積と該実効面積における撹拌翼（３）の最外半径の三乗との積の軸方向における積分値の比率（吐出流量比）が１．７以上である撹拌機を用い、レイノルズ数Ｒｅが３０≦Ｒｅ＜３００の範囲で撹拌を行うことを特徴とする撹拌方法。
【請求項３】
半楕円形状の槽底部を有する撹拌槽（１）内中心部に槽外から回転可能な撹拌軸（２）が配設され、該撹拌軸（２）に撹拌翼（３）が縦に取り付けられると共に、撹拌槽（１）の側壁面に周方向に所定間隔を有して複数の邪魔板（６）が取り付けられる竪型撹拌機であって、撹拌槽（１）の直径に対する撹拌翼（３）の最外半径の比率（翼径比）が０．３２５〜０．３７５であり、且つ、上半分（Ｕ）における撹拌翼（３）の実効面積と該実効面積における撹拌翼（３）の最外半径の三乗との積の軸方向における積分値に対する下半分（Ｄ）における撹拌翼（３）の実効面積と該実効面積における撹拌翼（３）の最外半径の三乗との積の軸方向における積分値の比率（吐出流量比）が１．８以上である撹拌機を用い、レイノルズ数ＲｅがＲｅ＜３０の範囲で撹拌を行うことを特徴とする撹拌方法。
【手続補正３】
【補正対象書類名】明細書
【補正対象項目名】０００１
【補正方法】変更
【補正の内容】
【０００１】
本発明は、混合、溶解、晶析、反応等を目的とした撹拌処理用の撹拌方法に関する。
【手続補正４】
【補正対象書類名】明細書
【補正対象項目名】０００４
【補正方法】変更
【補正の内容】
【０００４】
そこで、本発明は、槽内の全体に亘って十分な上下循環流動を形成することができて、好適な撹拌特性を発揮することができる撹拌方法を提供することを課題とする。
【手続補正５】
【補正対象書類名】明細書
【補正対象項目名】０００５
【補正方法】変更
【補正の内容】
【０００５】
本発明に係る撹拌方法は、半楕円形状の槽底部を有する撹拌槽１内中心部に槽外から回転可能な撹拌軸２が配設され、該撹拌軸２に撹拌翼３が縦に取り付けられると共に、撹拌槽１の側壁面に周方向に所定間隔を有して複数の邪魔板６が取り付けられる竪型撹拌機であって、撹拌槽１の直径に対する撹拌翼３の最外半径の比率（翼径比）が０．２２５〜０．３２５であり、且つ、上半分Ｕにおける撹拌翼３の実効面積と該実効面積における撹拌翼３の最外半径の三乗との積の軸方向における積分値に対する下半分Ｄにおける撹拌翼３の実効面積と該実効面積における撹拌翼３の最外半径の三乗との積の軸方向における積分値の比率（吐出流量比）が１．４以上である撹拌機を用い、レイノルズ数Ｒｅが３００≦Ｒｅの範囲で撹拌を行うことを特徴とする。
あるいは、半楕円形状の槽底部を有する撹拌槽１内中心部に槽外から回転可能な撹拌軸２が配設され、該撹拌軸２に撹拌翼３が縦に取り付けられると共に、撹拌槽１の側壁面に周方向に所定間隔を有して複数の邪魔板６が取り付けられる竪型撹拌機であって、撹拌槽１の直径に対する撹拌翼３の最外半径の比率（翼径比）が０．２５〜０．３２５であり、且つ、上半分Ｕにおける撹拌翼３の実効面積と該実効面積における撹拌翼３の最外半径の三乗との積の軸方向における積分値に対する下半分Ｄにおける撹拌翼３の実効面積と該実効面積における撹拌翼３の最外半径の三乗との積の軸方向における積分値の比率（吐出流量比）が１．７以上である撹拌機を用い、レイノルズ数Ｒｅが３０≦Ｒｅ＜３００の範囲で撹拌を行うことを特徴とする。
あるいは、半楕円形状の槽底部を有する撹拌槽１内中心部に槽外から回転可能な撹拌軸２が配設され、該撹拌軸２に撹拌翼３が縦に取り付けられると共に、撹拌槽１の側壁面に周方向に所定間隔を有して複数の邪魔板６が取り付けられる竪型撹拌機であって、撹拌槽１の直径に対する撹拌翼３の最外半径の比率（翼径比）が０．３２５〜０．３７５であり、且つ、上半分Ｕにおける撹拌翼３の実効面積と該実効面積における撹拌翼３の最外半径の三乗との積の軸方向における積分値に対する下半分Ｄにおける撹拌翼３の実効面積と該実効面積における撹拌翼３の最外半径の三乗との積の軸方向における積分値の比率（吐出流量比）が１．８以上である撹拌機を用い、レイノルズ数ＲｅがＲｅ＜３０の範囲で撹拌を行うことを特徴とする。
【手続補正６】
【補正対象書類名】明細書
【補正対象項目名】０００６
【補正方法】変更
【補正の内容】
【０００６】
上記構成からなる撹拌方法によれば、撹拌翼３の下半分Ｄから半径方向に吐出される撹拌対象物の吐出流量は、撹拌翼３の上半分Ｕから半径方向に吐出される撹拌対象物の吐出流量よりも多くなる。そのため、吐出の強い領域から吐出の弱い領域への上下循環流動、即ち、撹拌槽１の下部から上部へと連続した上下循環流動が形成されることとなる。その結果、仕切ゾーンができることなく、撹拌対象物が全体的に撹拌されることとなる。
【手続補正７】
【補正対象書類名】明細書
【補正対象項目名】０００７
【補正方法】変更
【補正の内容】
【０００７】
即ち、本発明に係る撹拌方法は、撹拌の運転条件に応じて翼径比及び吐出流量比の適正化を図ることにより、槽内の全体に亘って十分な上下循環流動を形成することができて、好適な撹拌特性を発揮することができる。
【手続補正８】
【補正対象書類名】明細書
【補正対象項目名】００３０
【補正方法】削除
【補正の内容】